(57)【要約】      （修正有）【課題】外来遺伝子の発現に対して高い転写活性を有し、かつ実効性に優れたサイズのポリヌクレオチドを提供する。【解決手段】カイコ絹糸腺における外来タンパク質の発現を促進するために外来タンパク質構造遺伝子に連結されるポリヌクレオチドであって、絹タンパク質遺伝子のプロモーター/エンハンサー領域を構成するポリヌクレオチド(A)と、特定配列の一定部位を含む塩基配列からなるポリヌクレオチド(B)が連結されているポリヌクレオチド。【選択図】なし【特許請求の範囲】
【請求項１】
カイコ絹糸腺における外来タンパク質の発現を促進するために外来タンパク質構造遺伝子に連結されるポリヌクレオチドであって、以下のポリヌクレオチド（Ａ）および（Ｂ）：
（Ａ）    絹タンパク質遺伝子のプロモーター／エンハンサー領域を構成するポリヌクレオチド；
（Ｂ）    配列番号１の第２７８７−４７６６位塩基配列中の、少なくとも第３１４１−３８７４位塩基配列を含む塩基配列からなるポリヌクレオチド、
が連結されているポリヌクレオチド。
【請求項２】
前記ポリヌクレオチド（Ｂ）に、さらに配列番号１の第１−１１５３位塩基配列からなるポリヌクレオチド（Ｃ）が連結されている請求項１のポリヌクレオチド。
【請求項３】
ポリヌクレオチド（Ａ）が、配列番号１の第４７６７−５０２４位塩基配列からなる請求項１および２のポリヌクレオチド。
【請求項４】
前記発明（１）から（３）のポリヌクレオチドと実質的に同一の機能を有する範囲において、１または２以上の塩基の付加または欠失、もしくは他の塩基への置換を有する請求項１から３のいずれかのポリヌクレオチド。
【請求項５】
請求項１または２におけるポリヌクレオチド（Ａ）、（Ｂ）および（Ｃ）のいずれか１以上の相補配列がストリンジェントな条件下でハイブリダイズし、請求項１から４のいずれかのポリヌクレオチドと実質的に同一の機能を有するポリヌクレオチド。
【請求項６】
ポリヌクレオチド（Ａ）、（Ｂ）および（Ｃ）が連結されているポリヌクレオチドが、３５００塩基以下の長さであるであることを特徴とする請求項１から５のいずれかのポリヌクレオチド。
【請求項７】
請求項１から６のいずれかのポリヌクレオチドと外来タンパク質構造遺伝子とが連結された発現カセット。
【請求項８】
請求項７の発現カセットを保有する発現ベクター。
【請求項９】
昆虫由来ＤＮＡ型トランスポゾンの一対の逆向き反復配列に挟まれた発現カセットを有する請求項８の発現ベクター。
【請求項１０】
請求項７の発現カセットに含まれる外来タンパク質遺伝子をカイコ絹糸腺内で発現させることを特徴とする外来タンパク質の発現方法。
【請求項１１】
請求項７の発現カセットをゲノム中に保有し、外来タンパク質を絹糸腺内で発現するトランスジェニックカイコ。
【発明の詳細な説明】
【０００１】
【発明の属する技術分野】
この発明は、外来遺伝子の発現（転写活性）を促進するポリヌクレオチドに関するものである。さらに詳しくは、この発明は、例えばカイコによる有用組換えタンパク質の大量生産のために有用なポリヌクレオチドに関するものである。
【０００２】
【従来の技術とその課題】
カイコは蛹になる直前に繭を作る。この繭の主成分はフィブロインやセリシンなどの絹タンパク質であり、カイコの絹糸腺と呼ばれる器官で合成される。絹糸腺は後部絹糸腺、中部絹糸腺および前部絹糸腺より構成され、後部絹糸腺ではフィブロインが、中部絹糸腺ではセリシンがそれぞれ特異的に合成・分泌される。フィブロインは、重鎖および軽鎖から構成される複合体であり、全絹タンパク質の約７０％を占める。後部絹糸腺から分泌されたフィブロインは、絹糸腺の蠕動運動によって徐々に中部絹糸腺へと送られ、そこで分泌されたセリシンによって周りを被覆され、さらに前部絹糸腺へと送られ絹糸として吐糸される。
【０００３】
合成される絹糸は、１頭のカイコあたり平均で約０．３〜０．５ｇにも達する。このようにカイコは高いタンパク質合成能力を有した生物であり、この能力を利用すれば優れた組換えタンパク質生産系が構築できる。
【０００４】
カイコにおける一過性の外来遺伝子発現システムはカイコ核多角体ウイルス（ＢｍＮＰＶ）をベクターとして利用する方法が確立されている（特許文献１）。また、鱗翅目昆虫Ｔｒｉｃｈｏｐｌｕｓｉａ  ｎｉに由来するＤＮＡ型トランスポゾンであるｐｉｇｇｙＢａｃを組み込んだプラスミドベクターをカイコ卵に微量注射することにより、世代を通じて永続的に外来遺伝子が組み込まれた形質転換カイコも報告されている（非特許文献１）。
【０００５】
さらに、この出願の発明者らは、絹タンパク質遺伝子プロモーターの下流に連結したヒト・コラーゲンｃＤＮＡをカイコに組み込み、組換えヒト・コラーゲンを繭または絹糸腺内のタンパク質の一部として産生する形質転換カイコを発明し特許出願している（特許文献１、２、特願２００２−１７７５３６号）。
【０００６】
ところで、カイコにおける外来タンパク質の発現においては絹タンパク質遺伝子の発現機構において外来遺伝子を発現させるため、フィブロインやセリシン等の絹タンパク質遺伝子のプロモーター制御下で外来遺伝子を発現させている。
【０００７】
しかしながら、絹糸腺において遺伝子を発現させるプロモーターとして、例えばフィブロイン軽鎖遺伝子の−６００〜＋３４までの領域を用いた場合、トランスジェニックカイコが繭中に分泌する組換えタンパク質の含有量は０．８％であり（非特許文献１）、必ずしも生産性が高いとはいえない。そこで、大量の組換えタンパク質を生産するためには、さらに高い転写活性を有したプロモーター／エンハンサーを開発し、繭中の組換えタンパク質含有量を向上させる必要がある。
【０００８】
一方、フィブロイン重鎖遺伝子については、その−３０〜＋６（転写開始点を＋１とする）が転写に不可欠であることから（非特許文献２）、この領域が「コアプロモーター」と呼ばれている。またコアプロモーターの上流−２３４までの領域とイントロン内にプロモーター活性を上昇させるエレメント（それぞれ上流エレメント、イントロン内エレメントとよばれる）が見出されている（非特許文献３、４）。
【０００９】
ところが実際には、これらのコアプロモーターやエレメントだけでは、フィブロイン重鎖タンパク質を通常と同程度には発現させることができない。このため、遺伝子のさらに上流域に、その転写活性を促進的に調節する領域が存在するものと想定される。従って、フィブロイン重鎖遺伝子のプロモーター／エンハンサーを利用して外来タンパク質を多量に発現させるためには、フィブロイン重鎖遺伝子の前記上流エレメントからさらに上流のできるだけ長い領域を使用することが考えられる。しかしながら、長いプロモーター／エンハンサー配列を利用して外来タンパク質構造遺伝子の発現カセットを構築した場合には、その取り扱いや、トランスジェニックカイコの作出が極めて困難となるといった問題点が存在する。
【００１０】
この出願の発明は、以上のとおりの事情に鑑みてなされたものであり、従来技術の問題点を解消し、高い転写活性を有し、かつ実効性に優れたサイズのポリヌクレオチドを提供することを課題としている。
【００１１】
またこの出願の発明は、前記のポリヌクレオチドを用いて遺伝子の転写活性を高める組換えタンパク質の発現方法を提供することを課題としている。
【００１２】
【特許文献１】
特公平７−９７９９５号公報
【特許文献２】
特開２００１−１６１２１４号公報
【特許文献３】
特開２００２−３１５５８０号公報
【非特許文献１】
Ｔａｍｕｒａ  ｅｔ  ａｌ．，  Ｎａｔ．  Ｂｉｏｔｅｃｈｎｏｌ．  １８，  ８１−８４，  ２０００
【非特許文献２】
Ｔｓｕｄａ  ａｎｄ  Ｓｕｚｕｋｉ，  Ｃｅｌｌ，  ２７，  １７５−１８２，  １９８１
【非特許文献３】
Ｓｕｚｕｋｉ  ｅｔ  ａｌ．，  Ｐｒｏｃ．  Ｎａｔｌ．  Ａｃａｄ．  Ｓｃｉ．  ＵＳＡ，  ８３，  ９５２２−９５２６，  １９８６
【非特許文献４】
Ｔａｋｉｙａ  ｅｔ  ａｌ．，  ＥＭＢＯ  Ｊ．，  ９，  ４８９−４９６，  １９９０
【００１３】
【課題を解決するための手段】
この出願は、前記の課題を解決する発明として、以下の（１）〜（１１）の発明を提供する。
（１）    カイコ絹糸腺における外来タンパク質の発現を促進するために外来タンパク質構造遺伝子に連結されるポリヌクレオチドであって、以下のポリヌクレオチド（Ａ）および（Ｂ）：
（Ａ）絹タンパク質遺伝子のプロモーター／エンハンサー領域を構成するポリヌクレオチド；
（Ｂ）配列番号１の第２７８７−４７６６位塩基配列中の、少なくとも第３１４１−３８７４位塩基配列を含む塩基配列からなるポリヌクレオチド、
が連結されているポリヌクレオチド。
（２）    前記ポリヌクレオチド（Ｂ）の５’側に、さらに配列番号１の第１−１１５３位塩基配列からなるポリヌクレオチド（Ｃ）が連結されている前記発明（１）のポリヌクレオチド。
（３）    ポリヌクレオチド（Ａ）が、配列番号１の第４７６７−５０２４位塩基配列からなる前記発明（１）および（２）のポリヌクレオチド。
（４）    前記発明（１）から（３）のポリヌクレオチドと実質的に同一の機能を有する範囲において、１または２以上の塩基の付加または欠失、もしくは他の塩基への置換を有する前記発明（１）から（３）のいずれかのポリヌクレオチド。
（５）    前記発明（１）または（２）におけるポリヌクレオチド（Ａ）、（Ｂ）および（Ｃ）のいずれか１以上の相補配列がストリンジェントな条件下でハイブリダイズし、前記発明（１）から（４）のいずれかのポリヌクレオチドと実質的に同一の機能を有するポリヌクレオチド。
（６）    ポリヌクレオチド（Ａ）、（Ｂ）および（Ｃ）が連結されているポリヌクレオチドが、３５００塩基以下の長さであるであることを特徴とする前記発明（１）から（５）のポリヌクレオチド。
（７）    前記発明（１）から（６）のいずれかのポリヌクレオチドと外来タンパク質構造遺伝子とが連結された発現カセット。
（８）    前記発明（７）の発現カセットを保有する発現ベクター。
（９）    昆虫由来ＤＮＡ型トランスポゾンの一対の逆向き反復配列に挟まれた発現カセットを有する前記発明（８）の発現ベクター。
（１０）  前記発明（７）の発現カセットに含まれる外来タンパク質遺伝子をカイコ絹糸腺内で発現させることを特徴とする外来タンパク質の発現方法。
（１１）  前記発明（７）の発現カセットをゲノム中に保有し、外来タンパク質を絹糸腺内で発現するトランスジェニックカイコ。
【００１４】
すなわち前記の各発明は、高い転写活性を有するフィブロイン重鎖遺伝子に着目し、その上流域から遺伝子の転写活性を促進する最小領域としてのポリヌクレオチドを特定することによって完成されたものである。
【００１５】
なお、この発明のポリヌクレオチドの基礎なるフィブロイン重鎖遺伝子の配列は公知であり（ＧｅｎＢａｎｋ／ＡＦ２２６６６８８）、その全長（８０００９ｂｐ：以下「公知配列という」のうち、第５７４１４−６３４５０位配列を配列表の配列番号１に示した。さらに、公知配列の第６２４１４位が転写開始点（＋１）であり、配列番号１の第５００１位塩基に相当する。また公知配列の第５７４１４位は−５０００であり、配列番号１の第１位塩基に相当する。以下の説明においては、前記の転写開始点（＋１）から５’側を（−）番号で、３’側を（＋）番号として記載することがある。例えば、配列番号１の第２７８７−４７６６位塩基配列は、「−２２１４〜−２３５領域」と記載する。
【００１６】
また、この発明において、「ポリヌクレオチド」とはプリンまたはピリミジンが糖にβ−Ｎ−グリコシド結合したヌクレオシドのリン酸エステル（ＡＴＰ、ＧＴＰ、ＣＴＰ、ＵＴＰ；またはｄＡＴＰ、ｄＧＴＰ、ｄＣＴＰ、ｄＴＴＰ）が２個以上結合した分子を意味する。ポリヌクレオチドと他のポリヌクレオチドが「連結されている」とは、一方のポリヌクレオチドの３’端ヌクレオチドと他方のポリヌクレオチドの５’端ヌクレオチドが直接、または他のリンカー配列を介して結合している状態をいう。
【００１７】
さらにこの発明において「タンパク質」とは、アミド結合（ペプチド結合）によって互いに結合した複数個のアミノ酸残基から構成された分子を意味し、「外来タンパク質」とは、カイコが産生するタンパク質以外の動物性タンパク質、特に組換えタンパク質として遺伝子工学的に製造することが好ましいタンパク質を意味する。
【００１８】
またさらに、この発明における「外来タンパク質構造遺伝子」とは、外来タンパク質をコードする領域（ｏｐｅｎ  ｒｅａｄｉｎｇ  ｆｌａｍｅ：  ＯＲＦ）を含むポリヌクレオチドであり、例えば外来タンパク質遺伝子のｃＤＮＡである。
【００１９】
この発明におけるその他の用語や概念は、発明の実施形態の説明や実施例において詳しく規定する。またこの発明を実施するために使用する様々な技術は、特にその出典を明示した技術を除いては、公知の文献等に基づいて当業者であれば容易かつ確実に実施可能である。例えば、遺伝子工学および分子生物学的技術はＳａｍｂｒｏｏｋ  ａｎｄ  Ｍａｎｉａｔｉｓ，  ｉｎ  Ｍｏｌｅｃｕｌａｒ  Ｃｌｏｎｉｎｇ−Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒａｔｏｒｙ  Ｐｒｅｓｓ，  Ｎｅｗ  Ｙｏｒｋ，  １９８９；  Ａｕｓｕｂｅｌ，  Ｆ．  Ｍ．  ｅｔ  ａｌ．，  Ｃｕｒｒｅｎｔ  Ｐｒｏｔｏｃｏｌｓ  ｉｎ  Ｍｏｌｅｃｕｌａｒ  Ｂｉｏｌｏｇｙ，  Ｊｏｈｎ  Ｗｉｌｅｙ  ＆  Ｓｏｎｓ，  Ｎｅｗ  Ｙｏｒｋ，  Ｎ．Ｙ，  １９９５等に記載されている。
【００２０】
以下、各発明について、実施形態を詳しく説明する。
【００２１】
【発明の実施の形態】
この出願の発明者らは、上記の既知の転写調節領域に加え絹糸腺細胞において高い転写活性を有する配列を検索するために、先ずｉｎ  ｖｉｖｏにおけるプロモーターの転写活性を測定する実験系を確立した。プロモーターを挿入したホタルルシフェラーゼレポータープラスミドを遺伝子銃により絹糸腺に導入し、遺伝子導入した絹糸腺を他の個体に移植し、３日後にルシフェラーゼ活性を測定した。ｉｎ  ｖｉｔｒｏ転写系で同定されたコアプロモーター、上流エレメントやイントロン内エレメントは遺伝子銃を用いたｉｎ  ｖｉｖｏの系でもｉｎ  ｖｉｔｒｏの系と同様の活性を示した。この結果から、前記のｉｎ  ｖｉｖｏ実験系がプロモーター活性の測定に有効であることを確認した。
【００２２】
次に、重鎖遺伝子の上流を遡って、遺伝子の転写活性を促進する領域を探索した。フィブロイン重鎖遺伝子の−５０００〜−２３５の領域を−２３４〜＋２４の領域に連結し、その転写活性を測定したところ、−５０００〜−２３５の領域は−２３４〜＋２４の領域がもつ転写活性を強力に促進する作用があることを見出した。さらに、−５０００〜−２３５の領域から−３８４７〜−２２１５の領域を除き、同様に−２３４〜＋２４の領域に連結して転写活性を測定したところ、−５０００〜−２３５から−３８４７〜−２２１５を取り除いた領域、即ち−５０００〜−３８４８と−２２１４〜−２３５の領域だけでも、−５０００〜−２３５と変わらない転写促進活性をもつことが明らかになった。また、様々な欠失部位を有する領域の転写促進効果を測定する実験を行うことにより、−２２１４〜−２３５の領域の中でも−１８６０〜−１１２７の領域が転写促進に特に重要であり、さらにこの領域に−５０００〜−３８４８の領域と連結させることにより高い転写促進効果を発揮することを確認した。この出願の各発明は、以上のとおりの新規な知見に基づいて完成されたものである。
【００２３】
この出願の発明（１）は、以下のポリヌクレオチド（Ａ）および（Ｂ）が連結したポリヌクレオチドである。
（Ａ）絹タンパク質遺伝子のプロモーター／エンハンサー領域を構成するポリヌクレオチド。
（Ｂ）フィブロイン重鎖遺伝子の−２２１４〜−２３５の領域中（配列番号１の第２７８７−４７６６位塩基配列中）の、少なくとも−１８６０〜−１１２７領域（配列番号１の第３１４１−３８７４位塩基配列）を含むポリヌクレオチド。
【００２４】
ポリヌクレオチド（Ａ）は、例えばフィブロイン重鎖、フィブロイン軽鎖、Ｐ２５、セリシン１およびセリシン２遺伝子などを含む絹タンパク質遺伝子のプロモーター／エンハンサー領域を構成するポリヌクレオチドを採用することができる。例えば、フィブロイン重鎖遺伝子のプロモーター／エンハンサー領域としては、−２３４〜＋６の領域を用いることができる。またフィブロイン軽鎖のプロモーター／エンハンサー領域としては、その公知配列ＧｅｎＢａｎｋ／ＡＦ５４１９６７）の−６００〜＋３４の領域を用いることができる。フィブロイン重鎖、軽鎖、またはＰ２５遺伝子のプロモーター／エンハンサー領域を使用すれば、外来タンパク質を後部絹糸腺で発現させることができ、またセリシン１またはセリシン２遺伝子のプロモーター／エンハンサーを使用すれば、中部絹糸腺で目的とする外来タンパク質の発現を高めることができる。この発明においては、特に、フィブロイン重鎖遺伝子のプロモーター／エンハンサー領域としては、−２３４〜＋６の領域を採用することが好ましい（発明（３））。
【００２５】
ポリヌクレオチド（Ｂ）は、前記のとおり、フィブロイン重鎖遺伝子の−２２１４〜−２３５領域中の、少なくとも−１８６０〜−１１２７領域を含むことを特徴としている。さらにこのポリヌクレオチド（Ｂ）は、フィブロイン重鎖遺伝子の−５０００〜−３８４８領域（配列番号１の第１−１１５３位塩基配列）からなるポリヌクレオチド（Ｃ）を連結していることが好ましい（発明（２））。この場合の連結は、「５’−ポリヌクレオチド（Ｃ）−ポリヌクレオチド（Ｂ）−３’」であり、両者の間には１〜３０塩基配列からなるリンカー配列を介在させてもよいが、好ましくはポリヌクレオチド（Ｃ）の５’端ヌクレオチドと、ポリヌクレオチド（Ｂ）の３’端ヌクレオチドを直接にホスホジエステル結合する。
【００２６】
一方、前記のプロモーター／エンハンサー領域を構成するポリヌクレオチド（Ａ）は、ポリヌクレオチド（Ｃ）／（Ｂ）の３’側に連結してもよく、あるいは５’側に連結してもよいが、前者が好ましい。従って、この発明のポリヌクレオチドの好ましい構成は、「５’−ポリヌクレオチド（Ｃ）−ポリヌクレオチド（Ｂ）−ポリヌクレオチド（Ａ）−３’」である。
【００２７】
以上のとおりのポリヌクレオチド（Ａ）、（Ｂ）および（Ｃ）は、それぞれ公知の塩基配列に基づいて合成したプローブＤＮＡを用いてゲノムライブラリーをスクリーニングし、対象となるゲノム遺伝子断片を得た後、これを鋳型として所定の領域をＰＣＲ（Ｐｏｌｙｍｅｒａｓｅ  Ｃｈａｉｎ  Ｒｅａｃｔｉｏｎ）法により増幅することにより取得することができる。また、短鎖のポリヌクレオチドであれば、公知の合成法により取得することもできる。
【００２８】
さらにこの発明のポリヌクレオチドには、前記発明（１）から（３）のポリヌクレオチドと実質的に同一の機能を有する範囲において、１または２以上の塩基の付加または欠失、もしくは他の塩基への置換を有するものも含まれる（発明（４））。すなわち、遺伝子の転写活性を促進するポリヌクレオチド（プロモーター／エンハンサー領域）は、種々の方法により改変されても、その基本的な活性を保持することが十分に認識されている。「１または２以上の塩基の付加または欠失、もしくは他の塩基への置換」とは、基本となるヌクレオチド配列に比較して１または２以上の塩基が付加または欠失、もしくは１また２以上の塩基が他の塩基への置換といった変位が存在するが、基本となる無変位配列と同等の機能を保持していることを意味する。
【００２９】
またこの発明（５）のポリヌクレオチドは、前記発明（１）または（２）におけるポリヌクレオチド（Ａ）、（Ｂ）および（Ｃ）のいずれか１以上の相補配列がストリンジェントな条件下でハイブリダイズし、前記発明（１）から（４）のいずれかのポリヌクレオチドと実質的に同一の機能を有するポリヌクレオチドである。すなわち、１本鎖ポリヌクレオチド配列は、相同性の程度によって相手鎖とハイブリダイズする。このとき、ハイブリダイゼーション条件のストリンジェンシー（ｓｔｒｉｎｇｅｎｃｙ）をより厳密に設定することによって、より相同性の高い配列を特定することができる。ストリンジェント条件は、ハイブリダイゼーションおよび洗浄工程における塩濃度、有機溶媒（ホルムアミド等）の濃度、温度条件によって規定される。詳しくは、米国特許Ｎｏ．  ６，１００，０３７等に詳しく記述されている。このようなストリンジェント条件下でのハイブリダイゼーションスクリーニングによって特定される発明（５）のポリヌクレオチドは、相同性のレベルにおいて７０％以上、好ましくは８０％以上、さらに好ましくは９０％以上である。
【００３０】
また、この発明（６）のポリヌクレオチドは、前記発明（１）から（５）におけるポリヌクレオチドの長さが３５００塩基以下の長さを有するポリヌクレオチドである。５０００塩基の３０％以上を取り除くことで、その取り扱いやトランスジェニックカイコの作出は容易となる。
【００３１】
この出願の発明（７）は、前記いずれかのポリヌクレオチドと外来タンパク質構造遺伝子とが連結された発現カセットである。外来タンパク質構造遺伝子は、任意のタンパク質をコードする遺伝子ｃＤＮＡ等を用いることができる。ｃＤＮＡは、公知の方法（Ｍｏｌ．  Ｃｅｌｌ  Ｂｉｏｌ．  ２，  １６１−１７０，  １９８２；  Ｊ．  Ｇｅｎｅ  ２５，  ２６３−２６９，  １９８３；  Ｇｅｎｅ，  １５０，  ２４３−２５０，  １９９４）を用いてｃＤＮＡライブラリーを作成し、そいれぞれ公知の塩基塩基配列に基づいて作製したプローブＤＮＡを用いて、それぞれのｃＤＮＡを単離する方法によって取得することができる。得られたｃＤＮＡは、例えば、ＰＣＲ法、ＮＡＳＢＡ（Ｎｕｃｌｅｉｃ  ａｃｉｄ  ｓｅｑｕｅｎｃｅ  ｂａｓｅｄ  ａｍｐｌｉｆｉｃａｔｉｏｎ）法、ＴＭＡ（Ｔｒａｎｓｃｒｉｐｔｉｏｎ−ｍｅｄｉａｔｅｄ  ａｍｐｌｉｆｉｃａｔｉｏｎ）法およびＳＤＡ（Ｓｔｒａｎｄ  Ｄｉｓｐｌａｃｅｍｅｎｔ  Ａｍｐｌｉｆｉｃａｔｉｏｎ）法などの通常行われる遺伝子増幅法により増幅することができる。また、細胞から単離したｍＲＮＡを鋳型とするＲＴ−ＰＣＲ法によっても必要量の各ｃＤＮＡを得ることができる。ポリヌクレオチドと外来タンパク質ｃＤＮＡとは、ＤＮＡリガーゼを用いる公知のライゲーション法によって連結さえることができる。
【００３２】
発明（８）は、前記の発現カセットを保有する発現ベクターである。ベクターは、カイコの形質転換のために使用することのできる昆虫用のベクターであれば特段の制限なく使用することができる。例えば、カイコ核多角体ウイルス（ＢｍＮＰＶ）ベクターや、昆虫由来ＤＮＡ型トランスポゾンを組み込んだプラスミドベクター等であるが、特に後者が好ましい（発明（９））。昆虫由来ＤＮＡ型トランスポゾンとしては、ｐｉｇｇｙＢａｃ、ｍａｒｉｎｅｒ（Ｉｎｓｅｃｔ  Ｍｏｌ．  Ｂｉｏｌ．  ９，  １４５−１５５，  ２０００）、およびＭｉｎｏｓ（Ｉｎｓｅｃｔ  Ｍｏｌ．  Ｂｉｏｌ．  ９，  ２７７−２８１，  ２０００）等が知られている。これらのトランスポゾンは、カイコ細胞内で転移活性を示すことから、これらのＤＮＡ型トランスポゾンをもとに作製したベクターによりカイコを形質転換させることが可能である。特にｐｉｇｇｙＢａｃをもとに作製したプラスミドベクターは、カイコ卵に微量注入することにより、実際にカイコを形質転換させることに成功している（Ｎａｔ．  Ｂｉｏｔｅｃｈｎｏｌ．  １８，  ８１−８４  ，  ２０００）。
【００３３】
以上の発現ベクターを使用することによって、前記発明（７）の発現カセットをゲノム中に保有するトランスジェニックカイコ（発明（１１））を作出することができ、このトランスジェニックカイコの絹糸腺内で発現カセットを発現させることによって、目的とする外来タンパク質を効率よく作成することが可能となる（発明（１０））。
【００３４】
例えば、ｐｉｇｇｙＢａｃの性質を利用してカイコ・ゲノム配列内に外来タンパク質発現カセットを挿入するには、例えば田村らの方法（Ｎａｔ．  Ｂｉｏｔｅｃｈｎｏｌ．  １８，  ８１−８４，  ２０００）と同様な方法によって行うことができる。即ち、ｐｉｇｇｙＢａｃの一対の逆向き反復配列を適当なプラスミドベクターに組み込み、外来タンパク質発現カセットを一対の逆向き反復配列で夾むように挿入する。そしてこのプラスミドベクターを、ｐｉｇｇｙＢａｃのトランスポゼース発現ベクター（ヘルパープラスミド）と共にカイコ卵へ微量注入する。このヘルパープラスミドは、ｐｉｇｇｙＢａｃの逆向き反復配列の片方または両方を欠いた、実質的にはｐｉｇｇｙＢａｃのトランスポゼース遺伝子領域のみが組み込まれている組換えプラスミドベクターである。このヘルパープラスミドにおいて、トランスポゼースを発現させるためのプロモーターは、内在性のトランスポゼースプロモーターをそのまま利用しても良いし、あるいは、カイコ・アクチンプロモーターやショウジョウバエＨＳＰ７０プロモーター等を利用してもよい。次世代カイコのスクリーニングを容易にするために、外来タンパク質発現カセットを組み込んだベクター内に同時にマーカー遺伝子を組み込んでおくこともできる。この場合、マーカー遺伝子の上流に例えばカイコ・アクチンプロモーターやショウジョウバエＨＳＰ７０プロモーター等のプロモーター配列を組み込み、その作用によりマーカー遺伝子を発現させるようにする。
【００３５】
ベクターを微量注入したカイコ卵から孵化した幼虫（Ｆ０世代）を飼育する。このＦ０世代のカイコのうち一部カイコには、外来タンパク質発現カセットが組み込まれている。しかし、この世代のカイコでは、カイコ体内の全細胞のうちの一部分の細胞にのみに外来タンパク質発現カセットが組み込まれており、全細胞に発現カセットが組み込まれたカイコを得るためには、Ｆ０カイコを交配し、生殖細胞を通じて発現カセットが伝達された形質転換カイコを得なければならない。即ち、得られた全Ｆ０世代のカイコを野生型カイコと、あるいはＦ０カイコ同士で交配し、次世代（Ｆ１世代）のカイコから外来タンパク質発現カセットを有した形質転換カイコを選抜する必要がある。Ｆ１世代のカイコからの形質転換カイコの選抜は、例えばＰＣＲ法やサザンブロット法を用いて行う。また、マーカー遺伝子を組み込んだ場合には、その表現形質を利用して選抜することも可能である。例えばマーカー遺伝子としてＧＦＰ等の蛍光タンパク質遺伝子を利用した場合には、Ｆ１世代のカイコ卵や幼虫に励起光を照射し、蛍光タンパク質の発する蛍光を検出することにより行うことができる。このようにして選抜されたカイコは、その染色体内に外来タンパク質発現カセットが組み込まれている形質転換カイコである。従って、これらのカイコを野生型カイコと、あるいは形質転換カイコどうしで交配させた子孫においても外来タンパク質発現カセットは消失することなく伝達され、世代を通じて外来タンパク質または外来タンパク質と絹タンパク質との融合タンパク質を産生させることができる。
【００３６】
【実施例】
以下、実施例によりこの発明をさらに詳細かつ具体的に説明するが、この発明は以下の例によって限定されるものではない。
【００３７】
フィブロイン重鎖遺伝子の一部をルシフェラーゼ遺伝子上流に接続したレポーターベクターをカイコ幼虫絹糸腺に導入し、後部絹糸腺におけるルシフェラーゼ活性を測定して転写活性を調べた。レポーターベクターとしてホタルルシフェラーゼレポーターベクターｐＧＬ３−ｂａｓｉｃおよびウミシイタケルシフェラーゼレポーターベクターｐＲＬ−ｎｕｌｌ（Ｐｒｏｍｅｇａ，  Ｍａｄｉｓｏｎ，  ＷＩ）を使用した。ｐＲＬ−ｎｕｌｌについてはＰｓｔ  ＩとＮｈｅ  Ｉで切断し、平滑末端化した後、セルフライゲーションすることによってヒトβグロビンイントロン配列を取り除いて用いた（ｐＲＬΔｉｎｔ）。
【００３８】
フィブロイン重鎖遺伝子の構造と転写調節領域について図１に示す。転写調節領域の機能は既に報告されている（Ｓｕｚｕｋｉ  ｅｔ  ａｌ．，  Ｐｒｏｃ．  Ｎａｔｌ．  Ａｃａｄ．  Ｓｃｉ．  ＵＳＡ，  ８３，  ９５２２−９５２６，  １９８６，  Ｔａｋｉｙａ  ｅｔ  ａｌ．，  ＥＭＢＯ  Ｊ．，  ９，  ４８９−４９６，  １９９０）。アッセイ系の検定に使用するために、図１で示すフィブロイン重鎖遺伝子転写調節領域の配列を有するレポーターベクターを以下の方法で作製した。
コアプロモーター（−３７〜＋６）を有するｐＧＬ３−ｂａｓｉｃ：
合成オリゴＤＮＡ  ５’−ＧＡＴＣＴＴＡＴＡＡＡＡＡＧＧＴＴＣＡＡＣＴＴＴＴＴＣＡＡＡＴＣＡＧＣＡＴＣＡＧＴＡ−３’（配列番号２）および５’−ＡＧＣＴＴＡＣＴＧＡＴＧＣＴＧＡＴＴＴＧＡＡＡＡＡＧＴＴＧＡＡＣＣＴＴＴＴＴＡＴＡＡ−３’（配列番号３）をハイブリダイズした後に、Ｂｇｌ  ＩＩ／Ｈｉｎｄ  ＩＩＩ消化ｐＧＬ３−ｂａｓｉｃに挿入して得た。
上流エレメントを含むプロモーター（コアプロモーター＋上流エレメント、−２３４〜＋２４）を有するｐＧＬ３−ｂａｓｉｃ：
フィブロイン重鎖遺伝子−２３４〜＋２４の領域に対応するＤＮＡ断片はカイコ成体腹部より抽出したゲノムＤＮＡをテンプレートとしてＰＣＲ法によって得られた。用いたプライマーは、５’−ＧＣＴＡＧＣＣＴＴＴＡＡＡＡＴＡＴＴＡＡＡＡＧＴＡＡＧ−３’（配列番号４）と５’−ＴＧＡＣＴＴＣＧＣＧＡＣＴＴＧＡＧＡＧＴＴＧＧＡＡＣＣＧ−３’（配列番号５）である。ＰＣＲ産物をｐＵＣ１１８のマルチクローニング部位にある制限酵素Ｓｍａ  Ｉサイトに挿入した。さらに、フィブロイン重鎖遺伝子−２３４〜＋２４をＮｒｕ  Ｉ／Ｎｈｅ  Ｉ消化により切り出し、Ｓｍａ  Ｉ／Ｎｈｅ  Ｉ消化ｐＧＬ３−ｂａｓｉｃにサブクローン化して得た。
イントロン全体（＋６８〜＋１０３７）を含むプロモーター（コアプロモーター＋上流エレメント＋イントロン）を有するｐＧＬ３−ｂａｓｉｃ：
フィブロイン重鎖遺伝子＋６８〜＋１０３７の領域に対応するＤＮＡ断片はカイコ成体腹部より抽出したゲノムＤＮＡをテンプレートとしてＰＣＲ法によって得られた。用いたプライマーは、５’−ＧＣＴＡＧＣＡＡＧＣＧＡＣＡＴＡＣＴＧＡＡＡＣＡＡＡＡＴＧ−３’（配列番号６）と５’−ＴＣＡＡＧＴＣＧＣＧＡＡＧＴＣＡＡＡＡＣＣＴＴＴＧＴＧＡＴＣ−３’（配列番号７）である。ＰＣＲ産物をｐＵＣ１１８のマルチクローニング部位にある制限酵素Ｓｍａ  Ｉサイトに挿入した。さらに、フィブロイン重鎖遺伝子＋６６〜＋１０３７をＳａｃ  Ｉ／Ｎｈｅ  Ｉ消化により切り出し、Ｓａｃ  Ｉ／Ｎｈｅ  Ｉ消化した上流エレメントを含むプロモーターを有するｐＧＬ３−ｂａｓｉｃにサブクローン化して得た。
イントロン前半（＋６８〜＋５０９）を含むプロモーター（コアプロモーター＋上流エレメント＋イントロン前半）を有するｐＧＬ３−ｂａｓｉｃ：
フィブロイン重鎖遺伝子＋６８〜＋５０９の領域に対応するＤＮＡ断片はカイコ成体腹部より抽出したゲノムＤＮＡをテンプレートとしてＰＣＲ法によって得られた。用いたプライマーは、５’−ＧＣＴＡＧＣＡＴＣＡＴＡＡＴＡＡＡＴＴＡＡＴＡＡＴＧＣＧＧ−３’（配列番号８）と５’−ＴＣＡＡＧＴＣＧＣＧＡＡＧＴＣＡＡＡＡＣＣＴＴＴＧＴＧＡＴＣ−３’（配列番号９）である。ＰＣＲ産物をｐＵＣ１１８のマルチクローニング部位にある制限酵素Ｓｍａ  Ｉサイトに挿入した。さらに、フィブロイン重鎖遺伝子＋６８〜＋５０９をＳａｃ  Ｉ／Ｎｈｅ  Ｉ消化により切り出し、Ｓａｃ  Ｉ／Ｎｈｅ  Ｉ消化した上流エレメントを含むプロモーターを有するｐＧＬ３−ｂａｓｉｃにサブクローン化して得た。
イントロン内エレメント（＋１５６〜＋４５４）を含むプロモーター（コアプロモーター＋上流エレメント＋イントロンエレメント）を有するｐＧＬ３−ｂａｓｉｃ：
イントロン前半を含むプロモーターを有するｐＧＬ３−ｂａｓｉｃをＥｃｏＲ  Ｖ消化により得たフィブロイン重鎖遺伝子＋１５６〜＋４５４の領域に対応するＤＮＡ断片をＮｈｅ  Ｉ消化後平滑末端化した上流エレメントを含むプロモーターを有するｐＧＬ３−ｂａｓｉｃにサブクローン化して得た。
【００３９】
転写促進領域探索実験に使用するためにフィブロイン軽鎖および重鎖遺伝子の配列を有するレポーターベクターを以下の方法で作製した。作製した各ベクターには便宜のため［１］〜［１４］の番号を付記した。
［１］フィブロイン軽鎖遺伝子−６００〜＋３４を有するｐＧＬ３−ｂａｓｉｃ：
フィブロイン軽鎖遺伝子プロモーター−６００〜＋３４の領域に対応するＤＮＡ断片は既報の通りＰＣＲ法により得られｐＣＲ２．１（Ｉｎｖｉｔｒｏｇｅｎ，  Ｃａｒｌｓｂａｄ，  ＣＡ）へクローニングされている（ｐＣＲ−ＰｆＬ（−６００／＋３４）、Ｔｏｍｉｔａ  ｅｔ  ａｌ．，  Ｎａｔｕｒｅ  Ｂｉｏｔｅｃｈ．，  ２１，  ５２−５６，  ２００３）。フィブロイン軽鎖遺伝子−６００〜＋３４をｐＣＲ−ＰｆＬ（−６００／＋３４）からＸｈｏ  Ｉ／Ｈｉｎｄ  ＩＩＩ消化により切り出し、Ｘｈｏ  Ｉ／Ｈｉｎｄ  ＩＩＩ消化ｐＧＬ３−ｂａｓｉｃにサブクローン化して得た。
【００４０】
遺伝子導入効率を調べるためにフィブロイン軽鎖遺伝子−６００〜＋３４をｐＣＲ−  ＰｆＬ（−６００／＋３４）からＸｈｏ  Ｉ／Ｈｉｎｄ  ＩＩＩ消化により切り出し、Ｘｈｏ  Ｉ／Ｈｉｎｄ  ＩＩＩ消化ｐＲＬΔｉｎｔにサブクローン化してフィブロイン軽鎖遺伝子−６００〜＋３４を有するｐＲＬΔｉｎｔを得た。
［２］フィブロイン重鎖遺伝子−２３４〜＋２４を有するｐＧＬ３−ｂａｓｉｃ：
上流エレメントを含むプロモーターを有するｐＧＬ３−ｂａｓｉｃと同一である。
［３］フィブロイン重鎖遺伝子−５０００〜＋２４を有するｐＧＬ３−ｂａｓｉｃ：
フィブロイン重鎖遺伝子５’上流域−５０００〜＋２４の領域に対応するＤＮＡ断片はカイコ成体腹部より抽出したゲノムＤＮＡをテンプレートとしてＰＣＲ法によって得られた。用いたプライマーは、５’−ＧＣＴＡＧＣＧＣＴＣＡＡＡＧＣＣＴＣＡＴＣＣＣＡＡＴＴＴＧ−３’（配列番号１０）と５’−ＴＧＡＣＴＴＣＧＣＧＡＣＴＴＧＡＧＡＧＴＴＧＧＡＡＣＣＧ−３’（配列番号１１）である。ＰＣＲ産物をｐＵＣ１１８のマルチクローニング部位にある制限酵素Ｓｍａ  Ｉサイトに挿入した。このプラスミドからフィブロイン重鎖遺伝子−５０００〜＋２４をＮｒｕ  Ｉ／Ｎｈｅ  Ｉ消化により切り出し、Ｓｍａ  Ｉ／Ｎｈｅ  Ｉ消化ｐＧＬ３−ｂａｓｉｃにサブクローン化して得た。
【００４１】
フィブロイン重鎖遺伝子−５０００〜−２３５の間でいろいろな長さの領域を有するｐＧＬ３−ｂａｓｉｃを以下の通り作製した。
［４］フィブロイン重鎖遺伝子−８７０〜＋２４を有するｐＧＬ３−ｂａｓｉｃ：
Ｈｉｎｄ  ＩＩＩ消化によりフィブロイン重鎖遺伝子−５０００〜＋２４を有するｐＧＬ３−ｂａｓｉｃからフィブロイン重鎖遺伝子−８７０〜＋２４を切り出し、Ｈｉｎｄ  ＩＩＩ消化ｐＧＬ３−ｂａｓｉｃにサブクローン化して得た。
［５］フィブロイン重鎖遺伝子−２０７７〜＋２４を有するｐＧＬ３−ｂａｓｉｃ：
Ｋｐｎ  Ｉ消化フィブロイン重鎖遺伝子−５０００〜＋２４を有するｐＧＬ３−ｂａｓｉｃをセルフライゲーションにより得た。
［６］フィブロイン重鎖遺伝子−２８８５〜＋２４を有するｐＧＬ３−ｂａｓｉｃ：
Ｓａｃ  Ｉ消化フィブロイン重鎖遺伝子−５０００〜＋２４を有するｐＧＬ３−ｂａｓｉｃをセルフライゲーションにより得た。
［７］フィブロイン重鎖遺伝子−３９４７〜＋２４を有するｐＧＬ３−ｂａｓｉｃ：
Ｎｈｅ  Ｉ／Ｓｐｅ  Ｉ消化フィブロイン重鎖遺伝子−５０００〜＋２４を有するｐＧＬ３−ｂａｓｉｃをセルフライゲーションによりを得た。
【００４２】
さらに、フィブロイン重鎖遺伝子−５０００〜−２３５の間で配列の一部を欠損させていろいろな組み合わせのコンストラクトを有するｐＧＬ３−ｂａｓｉｃを以下の通り作製した。
［８］フィブロイン重鎖遺伝子−５０００〜−１１２７および−２３４〜＋２４を有するｐＧＬ３−ｂａｓｉｃ：
Ｎｈｅ  Ｉ／Ｘｂａ  Ｉ消化によりフィブロイン重鎖遺伝子−２３４〜＋２４を有するｐＧＬ３−ｂａｓｉｃからフィブロイン重鎖遺伝子−２３４〜＋２４およびホタルルシフェラーゼ遺伝子を切り出し、Ｘｂａ  Ｉ消化フィブロイン重鎖遺伝子−５０００〜＋２４を有するｐＧＬ３−ｂａｓｉｃにサブクローン化して得た。
［９］フィブロイン重鎖遺伝子−５０００〜−１８６１および−８７０〜＋２４を有するｐＧＬ３−ｂａｓｉｃ：
Ｎｄｅ  Ｉ／Ｎｈｅ  Ｉ消化によりフィブロイン重鎖遺伝子−５０００〜＋２４を有するｐＧＬ３−ｂａｓｉｃからフィブロイン重鎖遺伝子−５０００〜−１８６１を切り出し、平滑末端化した後、Ｓｍａ  Ｉ消化フィブロイン重鎖遺伝子−８７０〜＋２４を有するｐＧＬ３−ｂａｓｉｃにサブクローン化して得た。
［１０］フィブロイン重鎖遺伝子−５０００〜−２７９９および−２０７７〜＋２４を有するｐＧＬ３−ｂａｓｉｃ：
Ｄｒａ  Ｉ／Ｎｈｅ  Ｉ消化によりフィブロイン重鎖遺伝子−５０００〜＋２４を有するｐＧＬ３−ｂａｓｉｃから重鎖遺伝子−５０００〜＋２７９９を切り出し、平滑末端化した後、Ｋｐｎ  Ｉ消化後平滑末端化したフィブロイン重鎖遺伝子−２０７７〜＋２４を有するｐＧＬ３−ｂａｓｉｃにサブクローン化して得た。
［１１］フィブロイン重鎖遺伝子−５０００〜−３７１８および−２５７３〜＋２４を有するｐＧＬ３−ｂａｓｉｃ：
Ｂｇｌ  ＩＩ消化によりフィブロイン重鎖遺伝子−５０００〜＋２４を有するｐＧＬ３−ｂａｓｉｃからフィブロイン重鎖遺伝子−２５７３〜＋２４を切り出し、Ｂｇｌ  ＩＩ消化フィブロイン重鎖遺伝子−５０００〜＋２４を有するｐＧＬ３−ｂａｓｉｃにサブクローン化して得た。
［１２］フィブロイン重鎖遺伝子−５０００〜−３８４８および−５４５〜＋２４を有するｐＧＬ３−ｂａｓｉｃ：
Ｐｓｔ  Ｉ消化フィブロイン重鎖遺伝子−５０００〜＋２４を有するｐＧＬ３−ｂａｓｉｃをセルフライゲーションして得た。
［１３］フィブロイン重鎖遺伝子−５０００〜−２２１５および−５４５〜＋２４を有するｐＧＬ３−ｂａｓｉｃ：
Ｐｓｔ  Ｉ消化によりフィブロイン重鎖遺伝子−５０００〜＋２４を有するｐＧＬ３−ｂａｓｉｃからフィブロイン重鎖遺伝子−３８４７〜−２２１５を切り出し、Ｐｓｔ  Ｉ消化フィブロイン重鎖遺伝子−５０００〜−３８４８および−５４５〜＋２４を有するｐＧＬ３−ｂａｓｉｃにサブクローン化して得た。
［１４］フィブロイン重鎖遺伝子−５０００〜−３８４８および−２２１４〜＋２４を有するｐＧＬ３−ｂａｓｉｃ：
Ｐｓｔ  Ｉ消化によりフィブロイン重鎖遺伝子−５０００〜＋２４を有するｐＧＬ３−ｂａｓｉｃからフィブロイン重鎖遺伝子−２２１４〜−５４６を切り出し、Ｐｓｔ  Ｉ消化フィブロイン重鎖遺伝子−５０００〜−３８４８および−５４５〜＋２４を有するｐＧＬ３−ｂａｓｉｃにサブクローン化して得た。
【００４３】
活性測定法を図２に示し、以下に解説する。
１）  金粒子の調製：二つのベクターを１：１に混合し、金粒子１  ｍｇあたり１８８  ｎｇのＤＮＡを付着させた。
２）  絹糸腺採取：５令１日または２日目の幼虫から絹糸腺を取出し、Ｇｒａｃｅ培地で洗浄した。
３）  遺伝子銃によるＤＮＡの絹糸腺への導入：遺伝子銃（Ｈｅｌｉｏｓ  Ｇｅｎｅ  Ｇｕｎ、ＢｉｏＲａｄ，  Ｈｅｒｃｕｌｅｓ，  ＣＡ）を用いて絹糸腺にＤＮＡの付着した金粒子を打ち込んだ。絹糸腺あたり０．０２  ｍｇの金粒子（３．８  ｎｇ  ＤＮＡ）を打ち込んでいる。
４）  絹糸腺の移植：絹糸腺をＧｒａｃｅ培地で洗浄後、絹糸腺を取出した個体と同じ日令の幼虫の背側後方体腔内に移植した。絹糸腺を移植した幼虫を３日間飼育した。
５）  絹糸腺の採取：移植した絹糸腺を宿主から取出し、Ｇｒａｃｅ培地で洗浄後、後部絹糸腺のみを切り出して回収した。
６）  ルシフェラーゼ活性の測定：デュアルルシフェラーゼアッセイキット（Ｐｒｏｍｅｇａ，  Ｍａｄｉｓｏｎ，  ＷＩ）を使用して上清中のホタルおよびウミシイタケルシフェラーゼ活性を測定した。後部絹糸腺をｐａｓｓｉｖｅ  ｌｙｓｉｓ  ｂｕｆｆｅｒ中でホモジナイズし、遠心した。ホタルルシフェラーゼ測定値をウミシイタケルシフェラーゼ測定値で割り、ベクターの長さをかけ、転写活性を算出した。さらにフィブロイン軽鎖遺伝子−６００〜＋３４の活性を１とした相対活性で表した。
【００４４】
ｉｎ  ｖｉｔｒｏ転写系を利用してフィブロイン重鎖遺伝子コアプロモーターとその周辺領域の転写活性が詳しく調べられている。これら領域のプロモーター活性をｉｎ  ｖｉｖｏ活性測定系を用いて測定し、ｉｎ  ｖｉｖｏ活性測定系の有効性を判定した。図３にｉｎ  ｖｉｖｏ測定系における転写制御領域の転写活性を示す。フィブロイン重鎖遺伝子コアプロモーターの活性を１とした相対活性で表した。以下に結果を記述する。
【００４５】
フィブロイン重鎖遺伝子コアプロモーターの活性を１とするとコアプロモーター＋上流エレメント、コアプロモーター＋上流エレメント＋イントロン、コアプロモーター＋上流エレメント＋イントロン前半、コアプロモーター＋上流エレメント＋イントロン内エレメントの活性はそれぞれ１５．９，  ２０．９，  ９．８，  ５８．９となった。
【００４６】
ｉｎ  ｖｉｔｒｏ転写系では上流エレメントとイントロン内エレメントはコアプロモーターの活性をそれぞれ４５倍、５倍上昇させると報告されている。今回、ｉｎ  ｖｉｖｏ活性測定系では上流エレメントとイントロン内エレメントの活性上昇効果は１５．９および３．７倍であった。従って、ｉｎ  ｖｉｖｏ測定活性系は、ｉｎ  ｖｉｔｒｏ転写系に比べて感度は劣るものの、十分使用可能である。この実験系ではｉｎ  ｖｉｔｒｏ転写系では扱えない長い配列も測定可能であるので、５’上流の未知の領域の解析に有効である。
【００４７】
後部絹糸腺におけるフィブロイン重鎖遺伝子５’上流領域の転写促進活性を図４に示す。以下に結果を記述する。
【００４８】
既に報告されているフィブロイン重鎖遺伝子−２３４〜＋２４（コアプロモーター＋上流エレメント、［２］）はフィブロイン軽鎖遺伝子−６００〜＋３４（［１］）の１／２の活性しか示さなかった。フィブロイン重鎖遺伝子５’上流領域−８７０〜−２３５の領域をフィブロイン重鎖遺伝子−２３４〜＋２４に連結した配列（［４］）はフィブロイン軽鎖遺伝子−６００〜＋３４に相当する活性が見られた。さらにフィブロイン重鎖遺伝子−２０７７〜−２３５および−２８８５〜−２３５を−２３４〜＋２４に連結した配列（［５］、［６］）の活性はそれぞれフィブロイン軽鎖遺伝子−６００〜＋３４のそれぞれ３、４倍となった。フィブロイン重鎖遺伝子−３９４７〜−２３５の領域を連結した配列（［７］）の活性は大きく上昇し、フィブロイン軽鎖遺伝子−６００〜＋３４の１５倍に達した。フィブロイン重鎖遺伝子−５０００〜−２３５の領域を連結した場合（［３］）では平均でフィブロイン軽鎖遺伝子−６００〜＋３４の２５倍の活性が見られた。４０倍をこえる例も見られた。
【００４９】
以上の結果はフィブロイン重鎖遺伝子−５０００〜−２３５の領域は−２３４〜＋２４の領域が持つ転写活性を強力に促進する作用があることを示している。特にフィブロイン重鎖遺伝子−５０００〜−２８８６の領域が重要であることが示唆された。
【００５０】
フィブロイン重鎖遺伝子−５０００〜−２３５の領域の転写促進活性の性質を明らかにするために−５０００〜−２３５の領域の間で種々の部分欠損コンストラクトを作製して（図５）その転写活性を測定した。結果を図６に示す。以下に結果を記述する。
【００５１】
フィブロイン重鎖遺伝子−５０００〜−２３５の領域で、約１ｋｂ欠損させたコンストラクトの内、−１８６０〜−８７１を欠損させたもの（［９］）には転写促進効果が見られなくなった。−１１２６〜−２３５（［８］）、−２７９８〜−２０７８（［１０］）、−３７１７〜−２５７４（［１１］）を欠損させた配列では高い転写活性が保たれていたことから、−１８６０〜−１１２７の領域が転写促進に重要であることが分かる。しかしながら−２０７７までを含む領域（図４、［５］）ではフィブロイン軽鎖遺伝子−６００〜＋３４の３倍程度の活性だったことから、−１８６０〜−１１２７の領域単独での効果は十分でないと考えられる。
【００５２】
欠損したコンストラクトのうち、−３８４７〜−２２１５を欠損させたもの（［１４］）が最も高い活性を示した。この配列はフィブロイン重鎖遺伝子−５０００〜−３８４８と−１８６０〜−１１２８の領域を含んでいる。同等の長さを有するコンストラクトでも−２２１４〜−５４６を欠損させたもの（［１３］）は−１８６０〜−１１２７を含んでおらず、活性が低い。
【００５３】
以上の結果はフィブロイン重鎖遺伝子−５０００〜−３８４８と−１８６０〜−１１２７が高い転写促進活性の発現に特に好ましいことを示している。フィブロイン重鎖遺伝子−５０００〜−３８４８と−２２１４〜−２３５の領域を−２３４〜＋２４の領域に連結した配列［１４］はこの要件を満たし、かつ適当な長さにまで短縮されているため、トランスジェニックカイコを作るなどの目的に有用である。
【００５４】
【発明の効果】
以上詳しく説明したとおり、この出願の発明によって、高い転写活性を有したプロモーター／エンハンサー配列と、その配列を用いて遺伝子の転写活性を高める組換えタンパク質の発現方法が提供される。この発明を利用すれば、様々な組換え有用タンパク質を、繭中に大量に生産するトランスジェニックカイコを作出することが可能となり、生産した組換えタンパク質を医療、食品、化粧品、繊維などの様々な産業分野で利用することができる。
【００５５】
【配列表】
2004344123.tif 000002
2004344123.tif 000003
2004344123.tif 000004
2004344123.tif 000005
2004344123.tif 000006
2004344123.tif 000007
2004344123.tif 000008
2004344123.tif 000009
2004344123.tif 000010
2004344123.tif 000011
2004344123.tif 000012
2004344123.tif 000013
2004344123.tif 000014
【図面の簡単な説明】
【図１】フィブロイン重鎖遺伝子の構造と転写制御領域。フィブロイン重鎖遺伝子は２つのエクソン（太線で示した）が存在する。数字はフィブロイン重鎖遺伝子のヌクレオチド番号を示す（転写開始点を＋１とする）。矢印で示した部分を転写活性測定に用いた。（）はｉｎ  ｖｉｔｒｏ転写系で測定された転写活性（コアプロモーターの活性を１とした場合）（Ｓｕｚｕｋｉ  ｅｔ  ａｌ．，  １９８６，  Ｔａｋｉｙａ  ｅｔ  ａｌ．，  １９９７）である。
【図２】活性測定法の概略である。
【図３】ｉｎ  ｖｉｖｏ測定系における転写制御領域の転写活性。図１で示したフィブロイン重鎖遺伝子領域を用いて転写活性を測定した。フィブロイン重鎖遺伝子コアプロモーターの活性を１とした。白丸は個々の活性値、黒丸はその平均値をあらわす。
【図４】フィブロイン重鎖遺伝子５’  上流領域の転写促進活性。フィブロイン重鎖遺伝子−２３５から５’上流を遡ってコンストラクトを作製してその転写活性を測定した。フィブロイン軽鎖遺伝子−６００〜＋３４の活性を１とした。白丸は個々の活性値、黒丸はその平均値をあらわす。
【図５】フィブロイン重鎖遺伝子５’  上流領域部分欠損コンストラクトの構造。フィブロイン重鎖遺伝子−５０００〜−２３５までの転写促進活性の性質を明らかにするために−５０００〜−２３５の間で様々な部分を欠損させたコンストラクトを作製した。
【図６】フィブロイン重鎖遺伝子５’上流領域部分欠損が転写活性に及ぼす影響。図５で示したコンストラクトの転写活性を測定した。フィブロイン軽鎖遺伝子−６００〜＋３４の活性を１とした。白丸は個々の活性値、黒丸はその平均値をあらわす。
【図１】
2004344123.tif 000015
【図２】
2004344123.tif 000016
【図３】
2004344123.tif 000017
【図４】
2004344123.tif 000018
【図５】
2004344123.tif 000019
【図６】
2004344123.tif 000020